(57)【要約】  大勢の人のために食べ物を準備しなければならないとき、大抵、美味しくて特別な料理を事前に準備するために多くの時間を費やす必要があり、多くの人にとって食べ物の準備は非常に面倒である。しかし、大規模な宴会では、それが切断するスライスフードであるにも関わらず、食べ物を切断することも多くの時間と忍耐を必要とする。特に、迅速に多くの人々のために食べ物を切断しなければならない場合、特に、大きさと形状が異なる食べ物の場合には、均等部分を手に入れることは不可能であり、完璧な結果は決して得られないだろう。さらに、誰もが公平な部分を手に入れることができるように、必要とする部分の数を事前に数えることは常に困難であるため、誰かは、その部分、又は小さすぎるか又は大きすぎるスライスがない状態のままである。技術水準には、食べ物の切断を解決するために設計された多くの製品が含まれる。既存の機械的な切断デバイスは、我々の要求に合わせることができないという制限を有する。比例した部分を作成するが、必要とする大きさ、形状、及び寸法に変更することができない予め形成された型、形状、及び大きさだけがある。本発明は、デジタルデバイスによってケーキ（１０）、ピザ、又は同様の食べ物（１１）の切断を補助することを目的とする。特に、本発明は、ケーキ、ピザ、又は同様の食べ物の均等部分を手に入れるための切断経路を示すバッテリ駆動のレーザデバイスである。図１及び図２、図４及び図５参照。
2018501930.tif 000002
【特許請求の範囲】
【請求項１】
ロッド（８）を挿入するために下部に連結孔（７）が設けられた小さい箱形状の支持体（３）であって、均等部分に分割されるケーキ（１０）、ピザ、又は同様の食べ物（１１）の中央部に前記ロッドの他端が配置されるとき、前記ロッド（８）が前記小さい箱形状の支持体（３）を上方に保持し、常に、前記小さい箱形状の支持体（３）の下部において、レーザ又は一組のレーザ（６）によって発生する光線（１３）を放つ溝（９）がある前記小さい箱形状の支持体（３）と、
前記小さい箱形状の支持体（３）に含まれるレーザ又は一組のレーザ（６）であって、ケーキ（１０）、ピザ、又は同様の食べ物（１１）の中の前記ロッド（８）の方向に向かう光線（１３）を有し、ケーキ（１０）、ピザ、又は同様の食べ物（１１）の表面にレーザ光線（１３）を放ち、ケーキ（１０）、ピザ、又は同様の食べ物（１１）の均等部分を手に入れるために切断経路を示す前記レーザ又は前記一組のレーザ（６）と、
レーザ又は一組のレーザ（６）に接続され、１つ以上のコマンドボタン（２）によって、ケーキ（１０）、ピザ、又は同様の食べ物（１１）を均等部分に分割するために、部分の数又は切断経路の形状を変更することを可能とするアルゴリズムでプログラミングされる回路（４）と、
前記小さい箱形状の支持体（３）において、前記ロッド（８）の挿入側と反対側に配置され、ケーキ（１０）、ピザ、又は同様の食べ物（１１）の均等部分を手に入れるために切断経路から手に入れたい部分の数を表示するディスプレイ（１）と、
前記小さい箱形状の支持体（３）に含まれ、前記回路（４）、前記レーザ又は前記一組のレーザ（６）、及び前記ディスプレイ（１）に電力を供給するバッテリ（５）と、によって特徴付けられる、
ケーキ、ピザ、又は同様の食べ物において均等部分を手に入れるための切断経路を示すバッテリ駆動のレーザデバイス。
【請求項２】
ケーキ（１０）、ピザ、又は同様の食べ物（１１）の表面上にレーザ又は一組のレーザ（６）によって放たれる光線（１３）は、必要とされる形状、又はケーキ（１０）、ピザ、又は同様の食べ物（１１）を切断することによって手に入れたい均等部分の数、を示す、ケーキ（１０）、ピザ、又は同様の食べ物（１１）の表面上の切断経路を表示するように調整することができるという事実により特徴付けられる、
ケーキ、ピザ、又は同様の食べ物の均等部分を手に入れるための切断経路を示す、請求項１に記載のバッテリ駆動のレーザデバイス。
【請求項３】
前記ロッド（８）は、ケーキ（１０）、ピザ、又は同様の食べ物（１１）の中央部に配置され、ケーキ（１０）、ピザ、又は同様の食べ物（１１）の均等部分を手に入れるために、ケーキ（１０）、ピザ、又は同様の食べ物（１１）の表面上にレーザ光線（１３）により切断経路を投影し、レーザ光線（１３）によって投影される切断経路に従うことによって、ケーキ（１０）、ピザ、又は同様の食べ物（１１）を切断するために使われるナイフ（１２）又は他の同様のキッチン道具によりユーザが切断することを可能とする前記小さい箱形状の支持体（３）を保持するという事実により特徴付けられる、
ケーキ、ピザ、又は同様の食べ物の均等部分を手に入れるための切断経路を示す、請求項１又は２に記載のバッテリ駆動のレーザデバイス。
【発明の詳細な説明】
【技術分野】
【０００１】
本発明は、デジタルデバイスによってケーキ（１０）、ピザ、又は同様の食べ物（１１）の切断を補助することを目的とする。
【０００２】
特に、本発明は、ケーキ、ピザ、又は同様の食べ物の均等部分を手に入れるための切断経路を示すバッテリ駆動のレーザデバイスである。図１及び図２、図４及び図５参照。
【０００３】
本デバイスは、レーザ光線（１３）によって、ケーキ（１０）、ピザ、又は同様の食べ物（１１）の切断経路を示す機能を有しており、図４及び図５に示すように、これらの部分を切断するためにナイフ（１２）又は他の工具が通る線を表示する。
【０００４】
イベント、会議、又は友人同士の会合の機会に限らず、食べ物は常に伴うものである。
【０００５】
これは、元気回復のための重要な要素であるだけでなく、友人、知人、家族と交流するためのすばらしいときでもある。それはもはや、単純な栄養補給行為ではなく、感情の共有及び交感の重要なときである。
【０００６】
大勢の人々のために食べ物を準備しなければならないときには、大抵、美味しくて特別な料理を事前に準備するために多くの時間を費やす必要があり、多くの人々にとって食べ物の準備は非常に面倒なことである。
【０００７】
このような場合、大量の食べ物を迅速に準備して処理する最も便利な解決策は、ピザ、バンズ、ラップ、ケーキ、ペイストリー、パンケーキなどのスライスフード（ｓｌｉｃｅ  ｆｏｏｄ）を準備することである。
【０００８】
しかしながら、大規模な宴会では、それが切断するスライスフードであるにも関わらず、食べ物を切断することも多くの時間と忍耐を必要とする。
【０００９】
特に、迅速に多くの人々のために食べ物を切断しなければならない場合、特に、大きさと形状が異なる食べ物の場合には、均等部分を手に入れることは不可能なことであり、完璧な結果は決して得られないだろう。
【００１０】
さらに、複数の部分への分割は、食べ物の保存及び消費の計画のためにも重要である。
【００１１】
例えば、均等部分に食べ物を分割することにより、一部を消費し、残りを保存することが可能となる。
【００１２】
さらに、誰もが公平な部分を手に入れることができるように、必要とする部分の数を事前に数えることは常に困難であるため、誰かは、その部分、又は小さすぎるか又は大きすぎるスライス、がない状態のままである。
【背景技術】
【００１３】
技術水準には、食べ物の切断を解決するために設計された多くの製品が含まれる。
【００１４】
市場には、ケーキ、ピザ、又は同様の食べ物をスライスするためのデバイスが数多くあり、機械的なホイール（ｍｅｃｈａｎｉｃａｌ  ｗｈｅｅｌ）、ワイヤ、スタンピング（ｓｔａｍｐｉｎｇｓ）、パドル、ナイフ、工具、間隔が空いた刃（ｓｐａｃｅｄ  ｂｌａｄｅｓ）、特殊はさみ等がある。
【００１５】
これまで、この技術は他の目標や問題に焦点を当てていたため、この分野を容易なものにしていない。家庭用電化製品、プレート、及びホブの細部（ｈｏｂｓ  ｄｅｔａｉｌｓ）など、屋外と家庭との両方で使用される喜ばしいキッチンを目指す多くの製品があるが、食べ物の切断を補助するための解決策はない。
【００１６】
さらに、既存の機械的な切断デバイスは、我々の要求に合わせることができないという制限を有する。比例した部分を作成するが、必要とする大きさ、形状、及び寸法に変更することができない予め形成された型、形状、及び大きさだけが存在する。
【発明の概要】
【００１７】
（発明の開示）
本発明は、デジタルデバイスによってケーキ（１０）、ピザ、又は同様の食べ物（１１）の切断を補助することを目的とする。
【００１８】
（発明の簡単な説明）
本発明に係るデバイスは、任意の大きさ及び形状の食べ物をスライスし、任意の大きさ及び形状の部分へと分割し、必要に応じて多くの部分を作成することができる。
【００１９】
重要な特徴は、経路が、ケーキ（１０）、ピザ、又は同様の食べ物（１１）の表面上に示され、所望の形状、又はケーキ（１０）、ピザ、又は同様の食べ物（１１）から手に入れたい均等部分の数、を切断する方法を示すように、１つ以上のレーザ（６）によってケーキ（１０）、ピザ、又は同様の食べ物（１１）の表面上に放たれる光線を変更することができることである。図４及び図５参照。
【図面の簡単な説明】
【００２０】
【図１】図１は、作動時のレーザ光線（１３）を示す、本発明に関する斜視図である。
【図２】図２は、非作動時のレーザ光線（１３）を示す、本発明に関する斜視図である。
【図３】図３は、全ての必要な構成要素を示す、本発明に関する分解斜視図である。
【図４】図４は、ケーキ（１０）の切断の際の本発明の適用を示す斜視図である。ケーキの表面へと照射されたレーザ光線（１３）が、ディスプレイ（１）で示される、均等部分の８個のスライスを手に入れるために形成された切断経路の輪郭を描く。
【図５】図５は、ディスプレイ（１）で示されるように、１６個の均等部分に分割されるケーキ（１０）と同様の他の食べ物（１１）の切断の際の本発明の他の適用を示す斜視図である。
【発明を実施するための形態】
【００２１】
（発明の詳細な説明）
本デバイスは、ディスプレイ上のデータを確認しながら、作成される部分の数、及び切断から手に入れたい形状を計画することを可能とするコマンドを備えるデジタルディスプレイ（１）が設けられている。図４及び図５参照。
【００２２】
本デバイスは、ロッド（８）を挿入するために下部に連結孔（７）が設けられた小さい箱形状の支持体（３）を備え、均等部分に分割されるケーキ（１０）、ピザ、又は同様の食べ物（１１）の中央部にロッドの他端が配置されるとき、ロッド（８）が小さい箱形状の支持体（３）を上方に保持し、そして常に、小さい箱形状の支持体（３）の下部において、レーザ又は一組のレーザ（６）によって発生する光線（１３）を放つ溝（９）がある。
【００２３】
ロッド（８）は、取り外し可能な特徴を有する。つまり、使用後、他の道具と同様に洗浄して乾燥させるために本デバイスから取り外し、そしていかなるときも再利用することができる。図３参照。
【００２４】
小さい箱形状の支持体（３）に含まれるレーザ又は一組のレーザ（６）は、ケーキ（１０）、ピザ、又は同様の食べ物（１１）の中のロッド（８）の方向に向かう光線（１３）を有し、ケーキ（１０）、ピザ、又は同様の食べ物（１１）の表面にレーザ光線（１３）を放ち、ケーキ（１０）、ピザ、又は同様の食べ物（１１）の均等部分を手に入れるための切断経路を示す。
【００２５】
本デバイスは、レーザ又は一組のレーザ（６）に接続され、１つ以上のコマンドボタン（２）によって、ケーキ（１０）、ピザ、又は同様の食べ物（１１）を均等部分に分割するために、部分の数、又は切断経路の形状を変更することを可能とするアルゴリズムでプログラミングされた回路（４）により動作する。それゆえ、調整ボタンを通じて、得たいスライスの数及び必要とする形状を入力することで、送信されたコマンドは、本デバイスによって処理される。図２及び図３参照。
【００２６】
ディスプレイ（１）は、小さい箱形状の支持体（３）において、ロッド（８）の挿入側と反対側に配置され、ケーキ（１０）、ピザ、又は同様の食べ物（１１）の均等部分を手に入れるように切断経路から手に入れたい部分の数を表示する。図４及び図５参照。
【００２７】
本デバイスはバッテリで動作する。小さい箱形状の支持体（３）に含まれるバッテリ（５）は、回路（４）、レーザ又は一組のレーザ（６）、及びディスプレイ（１）に電力を供給する。
【００２８】
それゆえ、バッテリが切れたときにバッテリを交換することで充分であるため、いかなる電力供給デバイス、ケーブル、又は他の負荷デバイスも必要としない。図３参照。
【図１】
2018501930.tif 000003
【図２】
2018501930.tif 000004
【図３】
2018501930.tif 000005
【図４】
2018501930.tif 000006
【図５】
2018501930.tif 000007
【国際調査報告】
2018501930.tif 000008
2018501930.tif 000009